(57)【要約】      （修正有）【課題】トイレの温水洗浄便座に小便器の機能をもたせることにより、トイレ掃除の頻度、衛生管理、不快な音を減らせる仕組みを設けた小便器付洗浄ノズルを提供する。【解決手段】便器内部に設けられた臀部洗浄ノズルの先端に小型小便器を設置する小型器付洗浄ノズルにおいて、前記小型小便器は１０ＣＭほどの円形の便器で深さは５ＣＭくらいの深さであることを特徴とする。【選択図】図３
0003188078.tif 000002
【実用新案登録請求の範囲】
【請求項１】
便座ウオッシュレットの先端に小型小便器を設置する、小便器付ウオッシュレットである。
【請求項２】
請求項１記載の小便器付ウオッシュレットに小さな穴を多数空けてそこからウオッシュレットの水がでる仕掛けをほどこしてあることにより、小便が直接、小便器付ウオッシュレットにかからないようにしている小便器付ウオッシュレットである。
【請求項３】
請求項１記載の小便器付ウオッシュレットにウオッシュレットのボタンを押すことにより、小便の不快な音をかき消すことができる小便器付ウオッシュレットである。
【考案の詳細な説明】
【技術分野】
【０００１】本考案は、小便器の機能も果たすウオッシュレットに関するものである。
【背景技術】
【０００２】一般家庭には、壁型のトイレはなく便器に小便をする。
【特許文献】
【０００３】
【特許文献１】  特開２０１０−０３６９０９
【非特許文献】
【０００４】
【非特許文献１】
【考案の概要】
【考案が解決しようとする課題】
【０００５】トイレにおいて、便器で小便をすると、小便が便器に当たって小便の跳ね返りによってトイレが汚れる。または、便器の水溜りに小便が当たると不快な音がする。
したがって、ウオッシュレットの水の出す音で小便が便器に当たる音をかき消し、小便器をウオッシュレットに搭載させることで、小便が直接便器にあたることが少なくなり今までの問題点を解決しようとするものである。
【課題を解決するための手段】
【０００６】本考案は、ウオッシュレットに小型の小便器を付ける。この小便器には、ウオッシュレットの水で小型小便器の内側から水があふれでるようになっており、直接小便が便器の内側に当たりにくい構造になっている。また、小便器の内側にはウオッシュレットから出る水を泡状にでるように細かい網になっており、小便が水や便器に当たって跳ね返るのを泡状になった水がそれらを覆いかぶさり小便の跳ね返りを防ぐ機能が付いています。【０００７】従来のウオッシュレットでは、お尻に付着した大便のカスを除去するなど大便やお尻に関することにことしかできないが、ウオッシュレットに小便器の機能をもたせることにより、トイレ掃除の頻度、衛生管理、不快な音を減らせる仕組みになっています。
【図面の簡単な説明】
【０００８】
【図１】本考案の小便器付ウオッシュレットを上から見た図である。
【図２】本考案の小便器付ウオッシュレットの一部切欠断図面である。
【図３】本考案の小便器付ウオッシュレットを立体的に見た図である。
【考案を実施するための形態】
【０００９】ウオッシュレットの先端に小型小便器を取り付ける。
小型小便器は、形状はてのひらサイズくらいの大きさで、ウオッシュレットの細い円柱を小型小便器で囲み使用する。
【実施例】
【００１０】以下、添付図面に従って−実施例を説明する。
１は一般家庭用便器
２はウオッシュレット先端
３は小型小便器
４  小便器の小さな穴は、小便を小便器付ウオッシュレットに直接、かからないようにしています。
５  小便器の大きな穴は、小便がすぐに流れるように、また一か所に小便が流れる箇所を作ることにより、清掃が楽になる。【００１１】小型小便器は二つに割れる仕組みになっており、ウオッシュレットの先端をはさんで固定できるようになっています。
【符号の説明】
【００１２】ウオッシュレットとして大便のときに利用できるのはもちろんであるが、小便のときでも利用できるウオッシュレットである。
【図１】
0003188078.tif 000003
【図２】
0003188078.tif 000004
【図３】
0003188078.tif 000005
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
洗浄ノズルの先端に小型小便器を設置する、小便器付洗浄ノズル。
【請求項２】
請求項１記載の小便器付洗浄ノズルの先端に小さな穴を多数空けてそこから洗浄ノズルの先端から水がでる仕掛けをほどこしてあることにより、
小便が直接、小便器付洗浄ノズルの先端にかからないようにしている小便器付洗浄ノズル。
【請求項３】
請求項１記載の小便器付洗浄ノズルの先端から水、または湯が出ることにより、小便の不快な音をかき消すことができる小便器付洗浄ノズル。
【手続補正２】
【補正対象書類名】明細書
【補正対象項目名】全文
【補正方法】変更
【補正の内容】
【考案の詳細な説明】
【技術分野】
【０００１】本考案は、小便器の機能も果たす洗浄ノズルの先端に関するものである。
【背景技術】
【０００２】一般家庭には、壁型のトイレはなく便器に小便をする。
【特許文献】
【０００３】
【特許文献１】特開２０１０−０３６９０９
【非特許文献】
【０００４】
【非特許文献１】
【考案の概要】
【考案が解決しようとする課題】
【０００５】トイレにおいて、便器で小便をすると、小便が便器に当たって小便の跳ね返りによってトイレが汚れる。または、便器の水溜りに小便が当たると不快な音がする。
したがって、洗浄ノズルの先端の水の出す音で小便が便器に当たる音をかき消し、
小便器を洗浄ノズルの先端に搭載させることで、小便が直接便器にあたることが少なくなり今までの問題点を解決しようとするものである。
【課題を解決するための手段】
【０００６】本考案は、洗浄ノズルの先端に小型の小便器を付ける。この小便器には、洗浄ノズルの先端の水で小型小便器の内側から水があふれでるようになっており、直接小便が便器の内側に当たりにくい構造になっている。【０００７】また、小便器の内側には洗浄ノズルの先端から出る水を泡状にでるように細かい網になっており、小便が水や便器に当たって跳ね返るのを泡状になった水がそれらを覆いかぶさり小便の跳ね返りを防ぐ機能が付いています。【０００８】従来の洗浄ノズルの先端からの水または湯では、お尻に付着した大便のカスを除去するなど
大便やお尻に関することにことしかできないが、洗浄ノズルの先端に小便器の機能をもたせることにより、トイレ掃除の頻度、衛生管理がしやすくなる。【０００９】おしっこの音を洗浄ノズルの先端のから出る水または湯の音で、
不快な音を減らせる仕組みになっています。
【図面の簡単な説明】
【００１０】
【図１】本考案の小便器付洗浄ノズルの先端を上から見た図である。
【図２】本考案の小便器付洗浄ノズルの先端の一部切欠断図面である。
【図３】本考案の小便器付洗浄ノズルの先端を立体的に見た図である。
【考案を実施するための形態】
【００１１】洗浄ノズルの先端に小型小便器を取り付ける。
小型小便器は、形状はてのひらサイズくらいの大きさで、洗浄ノズルの先端の細い円柱を小型小便器で囲み使用する。
【実施例】
【００１２】以下、添付図面に従って‐実施例を説明する。
１は一般家庭用便器
２は洗浄ノズルの先端
３は小型小便器
４  小便器の小さな穴は、小便を小便器付洗浄ノズルの先端に直接、かからないようにしています。
５  小便器の大きな穴は、小便がすぐに流れるように、また一か所に小便が流れる箇所を作ることにより、清掃が楽になる。【００１３】小型小便器は二つに割れる仕組みになっており、
洗浄ノズルの先端をはさんで固定できるようになっています。
【符号の説明】
【００１４】洗浄ノズルの先端として大便のときに利用できるのはもちろんであるが、
小便のときでも利用できる洗浄ノズル。
【手続補正書】
【提出日】平成25年7月15日(2013.7.15)
【手続補正１】
【補正対象書類名】図面
【補正対象項目名】図２
【補正方法】変更
【補正の内容】
【図２】
0003188078.tif 000006
【手続補正２】
【補正対象書類名】実用新案登録請求の範囲
【補正対象項目名】請求項１
【補正方法】変更
【補正の内容】
【請求項１】
便器内部に設けられた臀部洗浄ノズルの先端に小型小便器を設置する小便器付洗浄ノズル
【手続補正書】
【提出日】平成25年10月1日(2013.10.1)
【手続補正１】
【補正対象書類名】図面
【補正対象項目名】図３
【補正方法】変更
【補正の内容】
【図３】
0003188078.tif 000007
【手続補正２】
【補正対象書類名】実用新案登録請求の範囲
【補正対象項目名】請求項１
【補正方法】変更
【補正の内容】
【請求項１】
便器内部に設けられた臀部洗浄ノズルの先端に小型小便器を設置する小型器付洗浄ノズルにおいて、前記小型小便器は１０ＣＭほどの円形の便器で深さは５ＣＭくらいの深さであることを特徴とする小便器付洗浄ノズル。